(57)【要約】【課題】金属ベースシートを用いることにより、両面にて送信・受信することができ、金属製品のみならず非金属製品にも付けることができる無線識別タグ装置を提供する。【解決手段】本発明の無線識別タグ装置は、製品に付けるタグ装置であって、第１の面と該第１の面と背中合せの第２の面及び該第１の面と該第２の面とを貫通する貫通孔を有する金属ベースシートと、貫通孔に渡って金属ベースシートの第１の面に接着されているインナータグと、からなっている。【選択図】図１
2008130019.tif 000002
【特許請求の範囲】
【請求項１】
製品に付けるタグ装置であって、
第１の面と該第１の面と背中合せの第２の面及び該第１の面と該第２の面とを貫通する貫通孔を有する金属ベースシートと、
前記貫通孔に渡って前記金属ベースシートの第１の面に接着されているインナータグと、
からなっていることを特徴とする無線識別タグ装置。
【請求項２】
さらに、視認できる製品情報をそなえた非金属素材製のタグペーパーにより前記金属ベースシートの第１の面及び前記インナータグを覆うことを特徴とする請求項１に記載の無線識別タグ装置。
【請求項３】
前記タグペーパー上の製品情報としては製品のデータを表示するバーコードを有することを特徴とする請求項２に記載の無線識別タグ装置。
【請求項４】
前記金属ベースシートの第１の面に前記貫通孔周りにそれぞれ独立して互いに重ならない第１のエリアと第２のエリアとがあり、
前記インナータグは、タグチップ及び該タグチップに電気的に接続されたアンテナをそなえ、
該アンテナは、前記第１のエリアに張り付けられた第１の接続部分と、前記第２のエリアに張り付けられた第２の接続部分と、前記貫通孔の開口上方に渡って前記第１の接続部分と前記第２の接続部分とに電気的に接続されているつなぎ部分とからなっていることを特徴とする請求項１に記載の無線識別タグ装置。
【請求項５】
さらに、視認できる製品情報をそなえた非金属素材製のタグペーパーにより前記金属ベースシートの第１の面及び前記インナータグを覆うことを特徴とする請求項４に記載の無線識別タグ装置。
【請求項６】
前記タグペーパー上の製品情報としては製品のデータを表示するバーコードを有することを特徴とする請求項５に記載の無線識別タグ装置。
【請求項７】
前記貫通孔としては、その横断面が一の字形をすることを特徴とする請求項１に記載の無線識別タグ装置。
【請求項８】
前記貫通孔としては、その横断面が十の字形をすることを特徴とする請求項１に記載の無線識別タグ装置。
【請求項９】
前記貫通孔としては、互いに直角に交叉する十字形の第１のみぞ孔部と第２のみぞ孔部とからなり、前記第２のみぞ孔部の長さが前記第１のみぞ孔部の長さより短いことを特徴とする請求項８に記載の無線識別タグ装置。
【請求項１０】
前記金属ベースシートの第１の面に前記貫通孔の第２のみぞ孔部の長手両端にそれぞれ独立して互いに重ならない第１のエリアと第２のエリアとがあり、
前記インナータグは、タグチップ及び該タグチップに電気的に接続されたアンテナをそなえ、
該アンテナは、前記第１のエリアに張り付けられた第１の接続部分と、前記第２のエリアに張り付けられた第２の接続部分と、前記貫通孔の開口上方に渡って前記第１の接続部分と前記第２の接続部分とに電気的に接続されているつなぎ部分とを有することを特徴とする請求項９に記載の無線識別タグ装置。
【請求項１１】
前記タグチップと前記アンテナのつなぎ部分とが接続していることを特徴とする請求項１０に記載の無線識別タグ装置。
【請求項１２】
さらに、視認できる製品情報をそなえた非金属素材製のタグペーパーにより前記金属ベースシートの第１の面及び前記インナータグを覆うことを特徴とする請求項１１に記載の無線識別タグ装置。
【請求項１３】
前記タグペーパー上の製品情報としては製品のデータを表示するバーコードを有することを特徴とする請求項１２に記載の無線識別タグ装置。
【請求項１４】
前記インナータグは、タグチップと、前記タグチップに電気的に接続されているアンテナと、スペーサーとからなり、
該インナータグは、前記スペーサーを介して前記金属シートの前記第１の面に張り付けることを特徴とする請求項１に記載の無線識別タグ装置。
【請求項１５】
前記金属ベースシートの第１の面には、前記貫通孔の第２のみぞ孔部の長手両端にそれぞれ独立して互いに重ならない第１のエリアと第２のエリアとがあり、
前記アンテナは、前記第１のエリアの上側に対応して設けられた第１の接続部分と、前記第２のエリアの上側に対応して設けられた第２の接続部分と、前記貫通孔の開口上方に対応して前記第１の接続部分と前記第２の接続部分とに電気的に接続されているつなぎ部分とを有していることを特徴とする請求項１４に記載の無線識別タグ装置。
【請求項１６】
さらに、視認できる製品情報をそなえた非金属素材製のタグペーパーにより前記金属ベースシートの第１の面及び前記インナータグを覆うことを特徴とする請求項１１に記載の無線識別タグ装置。
【発明の詳細な説明】
【技術分野】
【０００１】
本発明は、無線識別タグ装置に関する。
【背景技術】
【０００２】
従来から、製造、物流、販売などにおける製品管理では、管理効率を高め、管理コストを抑えるため、いつでも情報信号を無線電波にて伝送し読み取る無線識別（Radio Frequency Identification；RFID）技術が用いられている。
【０００３】
図５は、従来の無線識別タグ装置の一例の構成を概略示す回路ブロック図である。この無線識別タグ装置は、図示のように、例えば製品（図示せず）に付けられ、製品情報を表示しているタグ手段７と、タグの製品表示情報を読み取るためのリーダー８と、該リーダー８と電気的に接続された端末９とから構成されている。
【０００４】
タグ手段７は、例えばベースシート上に設けられたアンテナ７１２と、該アンテナ７１２に電気的に接続され、接着剤でベースシート上に埋め込まれるよう接着されたＩＣチップ７１１とからなっている内層タグ７１がカバー材７２により封止されている。タグ手段７は、例えば製品などに張り付けたり細ひもなどで結えたりするようにして用いられる。
【０００５】
リーダー８は、アンテナ７１２を介してタグ手段７と交信することにより、ＩＣチップ７１１に記録された情報を感知し、端末９に入力する。タグ手段７が通信可能範囲内に存在しない場合には待機の状態をとる。ここでの情報とは、例えば製品の成分、重量、クラス別、ロットナンバーなどのデータを含むものをいう。
【０００６】
端末９は、リーダー８から供給された情報に基づいて製品のロットナンバーのチェックや、在庫量、納入などの管理をすることができる。
【発明の開示】
【発明が解決しようとする課題】
【０００７】
タグ手段７は、通常金属製品専用及び非金属製品専用に大別されることができる。金属製品専用のタグ手段は、通常高価でサイズも大きいので、製造コストの低減を実現することは難しい。しかも、アンテナは2.45GHzにて製品の情報の通信を行うため、通信範囲はリーダー８とタグ手段とが約１ｍの距離内に限られ、かつタグ手段のある面を限られてある方向に向けなければ交信を行うことができない。
【０００８】
また、非金属製品用のタグ手段は、その値段が安く、内層タグも簡単に入手可能で、両面から交信することができるが、通信距離はやはり限られる上、非金属製品用のタグ手段に用いられたカバー材は金属製品用のタグ手段に用いられたカバー材より強固でないため、輸送中などに製品データを感知できないほど破損してしまう虞もある。
【０００９】
本発明は、上記問題点を考慮してなされたものであり、金属ベースシートを用いることにより、両面にて送信・受信することができ、金属製品のみならず非金属製品にも付けることができる無線識別タグ装置を提供することを目的とする。
【課題を解決するための手段】
【００１０】
上記目的を達成すべく本発明は、製品に付けるタグ装置であって、第１の面と該第１の面と背中合せの第２の面及び該第１の面と該第２の面とを貫通する貫通孔を有する金属ベースシートと、貫通孔に渡って金属ベースシートの第１の面に接着されているインナータグと、からなっている構成とする無線識別タグ装置を提供しようとする。
【００１１】
前記無線識別タグ装置には、さらに、視認できる製品情報をそなえた非金属素材製のタグペーパーにより金属ベースシートの第１の面及びインナータグを覆うことが好ましい。
【００１２】
前記無線識別タグ装置には、タグペーパー上の製品情報としては製品のデータを表示するバーコードを有することが好ましい。
【００１３】
前記無線識別タグ装置にはまた、金属ベースシートの第１の面に貫通孔周りにそれぞれ独立して互いに重ならない第１のエリアと第２のエリアとがあり、インナータグは、タグチップ及び該タグチップに電気的に接続されたアンテナをそなえ、該アンテナは、第１のエリアに張り付けられた第１の接続部分と、第２のエリアに張り付けられた第２の接続部分と、貫通孔の開口上方に渡って第１の接続部分と第２の接続部分とに電気的に接続されているつなぎ部分とからなるものとする。
【００１４】
貫通孔としては、その横断面が一の字形、または、十の字形をしてもよい。
【００１５】
貫通孔としては十の字形の場合、互いに直角に交叉する十字形の第１のみぞ孔部と第２のみぞ孔部とからなり、第２のみぞ孔部の長さが第１のみぞ孔部の長さより短い構成とする。
【００１６】
前記無線識別タグ装置には、金属ベースシートの第１の面に貫通孔の第２のみぞ孔部の長手両端にそれぞれ独立して互いに重ならない第１のエリアと第２のエリアとがあり、インナータグは、タグチップ及び該タグチップに電気的に接続されたアンテナをそなえ、該アンテナは、第１のエリアに張り付けられた第１の接続部分と、第２のエリアに張り付けられた第２の接続部分と、貫通孔の開口上方に渡って第１の接続部分と第２の接続部分とに電気的に接続されているつなぎ部分とを有する構成としてもよい。
【００１７】
前記無線識別タグ装置には、タグチップとアンテナのつなぎ部分とが接続するようにしてもよい。
【００１８】
また、他の例としては、前記無線識別タグ装置において、インナータグは、タグチップと、タグチップに電気的に接続されているアンテナと、スペーサーとからなり、該インナータグは、スペーサーを介して金属シートの第１の面に張り付けられる構成としてもよい。
【００１９】
他の例としては、前記無線識別タグ装置において、金属ベースシートの第１の面には、貫通孔の第２のみぞ孔部の長手両端にそれぞれ独立して互いに重ならない第１のエリアと第２のエリアとがあり、アンテナは、第１のエリアの上側に対応して設けられた第１の接続部分と、第２のエリアの上側に対応して設けられた第２の接続部分と、貫通孔の開口上方に対応して第１の接続部分と第２の接続部分とに電気的に接続されているつなぎ部分とを有する構成としてもよい。
【発明の効果】
【００２０】
本発明によれば、リーダーとの識別距離を長く伸ばすことができ、金属製品のみならず、非金属製品にも用いることができる。また、リーダーはいずれの面に向けても感知することができるので、使用が便利である。
【発明を実施するための最良の形態】
【００２１】
以下、図面を参照してこの発明の実施の形態を説明する。
【００２２】
図１、２、３は、本発明の無線識別タグ装置の一実施の形態例を示す分解斜視図、正面図、側面断面図である。
【００２３】
図示するこの例の無線識別タグ装置は、製品(図示せず)に付けるものであって、第１の面１０１と該第１の面１０１と背中合せの第２の面１０２及び該第１の面１０１と該第２の面１０２とを貫通する貫通孔１１を有する金属ベースシート１と、貫通孔１１に渡って金属ベースシート１の第１の面に接着されているインナータグ２とからなっており、例えばバーコード或いはロット番号で示す視認できる製品情報４１をそなえた非金属素材製のタグペーパー４により金属ベースシート１の第１の面１０１及びインナータグ２を覆っている。
【００２４】
貫通孔１１としては、この例には互いに直角に交叉する十字形の第１のみぞ孔部１１１と、第１のみぞ孔部１１１の長さ以下である第２のみぞ孔部１１２とが十の字形をするが、第２のみぞ孔部１１２のみにより一の字形をしてもよい。
【００２５】
金属ベースシート１の第１の面１０１には、貫通孔１１周りに、とりわけ第２のみぞ孔部１１２の両端にそれぞれ独立して互いに重ならない第１のエリア１２と第２のエリア１３とがある。
【００２６】
インナータグ２は、タグチップ２１と該タグチップ２１に電気的に接続されたアンテナ２２をそなえている。
【００２７】
この例には、タグチップ２１とアンテナ２２とはスペーサー２３を介して金属ベースシート１の第１の面１０１に張り付けられているが、図４のようにタグチップ２１とアンテナ２２とは、スペーサー２３を用いず直接第１の面１０１に張り付けられてもよい。
【００２８】
該アンテナ２２は、第１のエリア１２に対応して第１のエリア１２に張り付けられた第１の接続部分２２１と、第２のエリア１３に対応して第２のエリア１３に張り付けられた第２の接続部分２２２と、貫通孔１１の開口上方に渡って第１の接続部分２２１と第２の接続部分２２２とに電気的に接続され、且つタグチップ２１と接続されているつなぎ部分２２３とを有している。
【００２９】
また、インナータグ２は、スペーサー２３を介して金属ベースシート１の第１の面１０１に張り付けられている。
【００３０】
本例には、インナータグ２としては、従来の非金属製品用の無線識別タグ装置におけるインナータグを用いることができるので、容易く入手でき、その値段も低く抑えることができる。また、製品情報を送る周波数としては、２．４５ＧＨｚのまま使うことができるが、これに限らない。
【００３１】
また、アンテナ２２としては、ダイポールアンテナを使うが、これに限らない。アンテナ２２のつなぎ部分２２３としては、本例にはジグザグ状に形成されているが、アンテナ２２のインピーダンスとタグチップ２１のインピーダンスとの整合が取れればよく、この形状に限ることがない。
【００３２】
また、タグチップ２１としては、図示のごとく、第１のみぞ孔部１１１に対応してアンテナ２２のつなぎ部分２２３の中央に電気的に接続されている。
【００３３】
金属ベースシート１上にインナータグ２を張り付けるとき、アンテナ２２のインピーダンス特性は、貫通孔１１の形状によって変化することがあるため、インナータグ２からの信号をうまく感知するためにアンテナ２２及びタグチップ２１のインピーダンスの整合をとる形状をする貫通孔１１を形成してよく、図示のように、例えば、十の字形または一の字形に形成してよい。
【００３４】
また、アンテナ２２のインピーダンスとタグチップ２１のインピーダンスとの整合が取るために、貫通孔１１の第２のみぞ孔部１１２の長さと幅を調整することにより実現することができる。
【００３５】
また、本例には、本発明の無線識別タグ装置は金属製品に張り付けるとき、硬い金属ベースシート１とタグペーパー４とによりインナータグ２を保護しているため、破損し難い。
【００３６】
また、本例には、タグペーパー４としては、インナータグ２を覆って金属ベースシート１に張り付けているが、インナータグ２を覆うことなく金属ベースシート１に張り付けても良い。なお、タグペーパー４は、例えば接着層を介して金属ベースシート１上に張り付ける。
【００３７】
本発明の金属ベースシート１を用いた無線識別タグ装置によれば、リーダー（図示せず）をいずれの面に向けて該当する製品の信号を受信することができ、リーダーを特定の一面に向けなければならない従来の装置と比べて使用が便利で、且つ感知距離を長くすることができる。例えば、製品上方に２．４５ＧＨｚの周波数で送信する場合、識別可能な距離を１ｍから1.68ｍに伸ばすことができる。
【００３８】
本発明の金属ベースシートを用いた無線識別タグ装置によれば、非金属製品にも張り付けることができることをいうまでもない。
【００３９】
なお、本発明は以上の実施の形態に限定されることなく、種々変形が可能である。
【産業上の利用可能性】
【００４０】
本発明の金属ベースシートを用いた無線識別タグ装置によれば、リーダーの感知距離を長く伸ばすことができ、金属製品のみならず、非金属製品にも用いることができる。また、リーダーはいずれの面に向けても感知することができるので、使用が便利である。
【図面の簡単な説明】
【００４１】
【図１】本発明にかかる無線識別タグ装置の一構成例を概略示す分解斜視図である。
【図２】図１のタグ装置の正面図である。
【図３】図１のタグ装置の側面縦断面図である。
【図４】本発明の無線識別タグ装置の他構成例を概略示す分解斜視図である。
【図５】従来の無線識別タグ装置の構成例を概略示す図である。
【符号の説明】
【００４２】
１…金属ベースシート
１０１…第１の面
１０２…第２の面
１１…貫通孔
１１１…第１のみぞ孔部
１１２…第２のみぞ孔部
１２…第１のエリア
１３…第２のエリア
２…インナータグ
２１…タグチップ
２２…アンテナ
２２１…第１の接続部分
２２２…第２の接続部分
２２３…つなぎ部分
２３…スペーサー
４…タグペーパー
４１…製品情報
【図１】
2008130019.tif 000003
【図２】
2008130019.tif 000004
【図３】
2008130019.tif 000005
【図４】
2008130019.tif 000006
【図５】
2008130019.tif 000007